(57)【特許請求の範囲】
【請求項１】
ガイドフレームに形成されたカード案内溝の溝内奥面に設けた窓孔から、ＩＣカードの側面と接触する第１の端子と、上記ＩＣカードの表面と接触する第２の端子とを露出させて配設してなるＩＣカードの装填装置において、
前記ガイドフレームに固定される取付け片から延びた延出片の先端を折曲げて形成された上記第２の端子と、上記延出片の一側を前記延出片に対してほぼ直角に折曲げて形成された立上り片と、上記カード案内溝の溝内奥面とほぼ同一の平面をなすように上記立上り片から延出され、かつクランク状に折曲げられて形成された腕部分の先端に形成された上記第１の端子と、上記腕部分の折り曲げ領域と前記立上り片との各面に直交する向きに折曲げ形成されたステーとからなる接触端子ユニットを備えたＩＣカードの装填装置。
【発明の詳細な説明】
【０００１】
【発明の属する技術分野】
本発明はＩＣカードの装填装置に関し、より詳しくはＩＣカードの側面と接触する接触端子の形状に特徴を有するＩＣカードの装填装置に関する。
【０００２】
【従来の技術】
挿入口から挿入して規定の位置に装填したＩＣカードとコンタクトを取って、ここに格納されたデータを読出したり、新たなデータを格納するようにしたＩＣカードの装填装置では、通常、ＩＣカードの表面もしくは側面に設けた金属部分と接触する接地用の接触端子を設け、ＩＣカードを接地電位にすることによって、静電気によるＩＣカードの破損や、電子機器本体の誤作動を防ぐように構成されている。
【０００３】
この種の接地用の端子は、半円弧状に曲成した先端部分をＩＣカードの金属部分に接触させるよう、絶縁性のフレームに設けた窓部からＩＣカードの挿入経路内に突出させるようにして取付けられているため、ＩＣカードを斜めに挿入したりした場合に、その先端角部が、接地用端子の根本部を保持しているフレームの段差部分に引っかかって挿入が円滑に行い得ないといった不都合が生じる。
【０００４】
【発明が解決しようとする課題】
本発明はこのような問題に鑑みてなされたもので、その目的とするところは、ＩＣカードの角部が引っかかることのない新たな接触端子を備えたＩＣカードの装填装置を提供することにある。
【０００５】
【課題を解決するための手段】
すなわち、本発明はかかる課題を達成するために、ガイドフレームに形成されたカード案内溝の溝内奥面に設けた窓孔から、ＩＣカードの側面と接触する第１の端子と、上記ＩＣカードの表面と接触する第２の端子とを露出させて配設してなるＩＣカードの装填装置において、前記ガイドフレームに固定される取付け片から延びた延出片の先端を折曲げて形成された上記第２の端子と、上記延出片の一側を前記延出片に対してほぼ直角に折曲げて形成された立上り片と、上記カード案内溝の溝内奥面とほぼ同一の平面をなすように上記立上り片から延出され、かつクランク状に折曲げられて形成された腕部分の先端に形成された上記第１の端子と、上記腕部分の折り曲げ領域と前記立上り片との各面に直交する向きに折曲げ形成されたステーとからなる接触端子ユニットを備えたものである。
【０００６】
【作用】
このように構成したことにより、ＩＣカードを斜めに挿入した場合でも、その角部が、案内溝の内奥面とほぼ同一面をなす接触端子の腕部の上を伝いながら、挿入が阻害されることなく窓孔を通過させることができる。
【０００７】
【発明の実施の形態】
そこで以下に本発明の実施例について説明する。
図面は本発明の一実施例を示したものである。
【０００８】
はじめに、図３をもとにＩＣカードの装填装置の全容について説明すると、図中符号１は回路基板２等の所定の位置に固定された装置本体で、この装置本体１は、案内溝４、４を備えた左右一対の樹脂材よりなるガイドフレーム３、３と、これらのガイドフレーム３、３を跨ぐようにしてこれらの上面に固定された天板６とによって構成され、さらに、この本体１の一側には、ＩＣカードＣを排出するためのエジェクタ７が摺動自在に取付けられている。
【０００９】
ところで図中符号１０は、ＩＣカードＣの表面あるいは側面に設けた金属部分に接触して接地を取るための接触端子ユニットで、一枚の金属の弾性薄板材を折り曲げて形成した左右の接触端子ユニット１０は、図１、図２に示したように、先端１１ａが案内溝４の内奥面４ａから露出してＩＣカードＣの側面の金属部分に摺接する第１の接触端子１１と、案内溝４の下面から上向きに露出してＩＣカードＣの表面に設けた金属部分に摺接する第２の接触端子１５とによって構成されている。
【００１０】
上述した第１の接触端子１１は、その腕部１１ｂが案内溝４の内奥面４ａに設けた窓部４ｂを埋めるようにして内奥面４ａとほぼ同一の平面をなすように立上り片１４からクランク状に折曲げ形成され、さらに、このクランク部分１２には、腕部１１ｂと立上り片１４とを結ぶようにして、これらの面とほぼ直交する方向にステー１３が折り曲げ形成されていて、この部分の剛性を大きくするように構成されている。
【００１１】
これに対して第２の接触端子１５は、ガイドフレーム３への取付け片１７から伸びた延出片１６の先端に折り曲げ形成され、さらに、この延出片１６の一側には、上述した立上り片１４が上向きに折曲げ形成されている。
【００１２】
このように構成されたガイドフレーム３には、その案内溝４に、クランク状に折曲げ形成した第１の接触端子１１の腕部１１ｂが、窓部４ｂを塞ぐようにして案内溝４の内奥面４ａとほぼ同一の面をなすように取付けられているため、ＩＣカードＣを若干斜めに挿入したような場合でも、案内溝４の内奥面４ａに沿って移動したその角部が、そのまま第１の接触端子１１の上を滑るようにして窓部４ｂに引っかかることなく装填される。
【００１３】
しかも、第１の接触端子のクランク部１２には、腕部１１ｂと立上り片１４を結ぶようにしてこれらの面と直交する向きのステー１３が折曲げ形成されているため、角部に押圧されても腕部１１ｂの大きな撓みは抑えられ、さらに、ここに作用したＩＣカードＣの押圧力は、立上り片１４を介して第２の接触端子１５に上向きの力を作用させ、ＩＣカードＣの面を適度に押圧して挿入の際に生じるブレを抑える働きをする。
【００１４】
なお、以上は、ＩＣカードの接地を取るための接触端子の例をもとに本発明を説明したものであるが、カードの挿入の有無を検出する検出端子等にも本発明を適用することができる。
【００１５】
【発明の効果】
以上述べたように本発明によれば、例えカードを斜めに挿入したような場合でも、その先端角部が、腕部分を伝うようにして窓孔から自動的に脱することとなって、その円滑な挿入を常に確保することができ、また折曲げ部にステーを折曲げ形成してこの部分の剛性を高めたことにより、カードの角部に押圧された場合でも、腕部分を内奥面とほぼ平行に変位させることができて、支障なくカードの先端角部を窓孔から離脱させることができる。
【図面の簡単な説明】
【図１】本発明の一実施例を示す接触端子の側面図である。
【図２】同上端子の全容を示した斜視図である。
【図３】上記端子を備えたＩＣカードの装填装置を示した斜視図である。
【符号の説明】
１  装置本体
３  ガイドフレーム
４  案内溝
４ａ  内奥面
４ｂ  窓孔
１１  第１の接触端子
１１ｂ  腕部
１２  折曲げ部
１３  ステー
Ｃ  ＩＣカード
【図１】
0003629986.tif 000002
【図２】
0003629986.tif 000003
【図３】
0003629986.tif 000004